【手続補正書】
【提出日】令和1年12月24日(2019.12.24)
【手続補正１】
【補正対象書類名】明細書
【補正対象項目名】０１６７
【補正方法】変更
【補正の内容】
【０１６７】
多くの更なる変更及び変形は、上記の実例となる実施形態を参照することで当業者に示唆される。それらは、単に一例として与えられており、添付の特許請求の範囲によってのみ決定される本発明の適用範囲を制限するよう意図されない。特に、異なる実施形態からの異なる特徴は、必要に応じて交換されてよい。
［付記］
［付記１］
光捕捉システムのセンサの少なくとも１つのピクセルが前記光捕捉システムのピューピルを通じて検知することができる光線の組によって占有される前記光捕捉システムのオブジェクト空間におけるボリュームを表すデータの組を生成する、コンピュータにより実施される方法であって、前記ボリュームがピクセルビームと呼ばれる前記方法において、
前記ピクセルビームを表すパラメータの値に基づき、φと呼ばれる回転角の値を計算することと、
一葉双曲面の回転軸である第２直線の周りで、第１発生光線と呼ばれる前記ピクセルビームを表す前記双曲面の表面を表現する第１直線の角度φの回転を計算し、該角度φの回転が前記第１発生光線を第２発生光線に変換することと、
前記第２発生光線を表すパラメータ、前記双曲面の前記回転軸を表すパラメータ、及び前記双曲面の前記回転軸に対して相対的に前記第１発生光線の位置付けを表すパラメータを含む、前記ピクセルビームを表すデータの組を生成することと
を有する方法。
［付記２］
MCが前記双曲面の前記回転軸に属し、MG0が前記第１発生光線に属するとして、前記第１発生光線は、ベクトルMCMG0と前記角度φの回転が計算される座標系の軸との間の角度φ0がゼロに等しいように、選択される、
付記１に記載の方法。
［付記３］
前記双曲面の前記回転軸に対して相対的に前記第１発生光線の位置付けを表すパラメータは、前記角度φ0と、前記座標系の原点とMC及びMG0を含む面との間の、基準距離と呼ばれる距離とを含む、
付記２に記載の方法。
［付記４］
λが前記ピクセルビームを表すパラメータの値であり、λmax及びλminが、λが選択されるインターバルの夫々上限及び下限であるとして、前記回転角φは、φ=2π・(λ-λmin)/(λmax-λmin)によって与えられる、
付記１乃至３のうちいずれか一に記載の方法。
［付記５］
前記ピクセルビームを表す前記データの組は、λmax及びλminの値を更に含む、
付記４に記載の方法。
［付記６］
λは、光の分極方位又は色情報のような、前記ピクセルビームを表すパラメータの値である、
付記４に記載の方法。
［付記７］
光捕捉システムのセンサの少なくとも１つのピクセルが前記光捕捉システムのピューピルを通じて検知することができる光線の組によって占有される前記光捕捉システムのオブジェクト空間におけるボリュームを表すデータの組を生成する装置であって、前記ボリュームがピクセルビームと呼ばれる前記装置において、
前記ピクセルビームを表すパラメータの値に基づき、φと呼ばれる回転角の値を計算し、
一葉双曲面の回転軸である第２直線の周りで、第１発生光線と呼ばれる前記ピクセルビームを表す前記双曲面の表面を表現する第１直線の角度φの回転を計算し、該角度φの回転が前記第１発生光線を第２発生光線に変化し、
前記第２発生光線を表すパラメータ、前記双曲面の前記回転軸を表すパラメータ、及び前記双曲面の前記回転軸に対して相対的に前記第１発生光線の位置付けを表すパラメータを含む、前記ピクセルビームを表すデータの組を生成する
よう構成されるプロセッサを有する装置。
［付記８］
ライトフィールドコンテンツをレンダリングする方法であって、
光捕捉システムのセンサの少なくとも１つのピクセルが前記光捕捉システムのピューピルを通じて検知することができる光線の組によって占有される前記光捕捉システムのオブジェクト空間におけるボリュームを表す一葉双曲面の表面を表現する第１直線の回転角度φを、
・MCが前記双曲面の回転軸に属し、MG0が第１発生光線に属するとして、ベクトルMCMG0と前記角度φの回転が計算される座標系の軸との間の角度φ0と、前記座標系の原点とMC及びMG0を含む面との間の距離とを含む、前記双曲面の前記回転軸に対して相対的に前記第１発生光線の位置付けを表すパラメータと、
・第２発生光線を表すパラメータと、
・前記双曲面の前記回転軸を表すパラメータと
を用いて、前記双曲面の前記回転軸である第２直線の周りで計算し、前記ボリュームが、前記第１発生光線と呼ばれるピクセルビームと呼ばれ、前記角度φの回転が前記第１発生光線を前記第２発生光線に変換することと、
前記双曲面の前記回転軸を表すパラメータ及び前記第２発生光線を表すパラメータと、前記回転角度φの値に基づき前記ピクセルビームを表すパラメータの値とを用いて、前記ピクセルビームを計算することと、
前記ライトフィールドコンテンツをレンダリングすることと
を有する方法。
［付記９］
ライトフィールドコンテンツをレンダリングする装置であって、
光捕捉システムのセンサの少なくとも１つのピクセルが前記光捕捉システムのピューピルを通じて検知することができる光線の組によって占有される前記光捕捉システムのオブジェクト空間におけるボリュームを表す一葉双曲面の表面を表現する第１直線の回転角度φを、
・MCが前記双曲面の回転軸に属し、MG0が第１発生光線に属するとして、ベクトルMCMG0と前記角度φの回転が計算される座標系の軸との間の角度φ0と、前記座標系の原点とMC及びMG0を含む面との間の距離とを含む、前記双曲面の前記回転軸に対して相対的に前記第１発生光線の位置付けを表すパラメータと、
・第２発生光線を表すパラメータと、
・前記双曲面の前記回転軸を表すパラメータと
を用いて、前記双曲面の前記回転軸である第２直線の周りで計算し、前記ボリュームが、前記第１発生光線と呼ばれるピクセルビームと呼ばれ、前記角度φの回転が前記第１発生光線を前記第２発生光線に変換し、
前記双曲面の前記回転軸を表すパラメータ及び前記第２発生光線を表すパラメータと、前記回転角度φの値に基づき前記ピクセルビームを表すパラメータの値とを用いて、前記ピクセルビームを計算する
よう構成されるプロセッサを有し、
前記装置は、前記ライトフィールドコンテンツをレンダリングするディスプレイを更に有する、装置。
［付記１０］
規則的な格子構造において配置されるマイクロレンズのアレイと、
ピクセルの組を含み、ピクセルの各組が前記マイクロレンズのアレイの中の夫々のマイクロレンズと光学的に関連するフォトセンサ上に前記マイクロレンズのアレイから投影される光を捕捉するよう構成される前記フォトセンサと、
メタデータを供給する付記７に記載の装置と
を有するライトフィールドイメージング装置。
［付記１１］
光捕捉システムのセンサの少なくとも１つのピクセルが前記光捕捉システムのピューピルを通じて検知することができる光線の組によって占有される前記光捕捉システムのオブジェクト空間におけるボリュームを表すデータの組を含むライトフィールドコンテンツを表す信号であって、
前記ボリュームがピクセルビームと呼ばれ、該ピクセルビームを表す前記データの組は、
第１発生光線と呼ばれる前記ピクセルビームを表す一葉双曲面の表面を表現する第１直線を表すパラメータであって、前記第１発生光線が、前記双曲面の回転軸である第３直線の周りで、第２発生光線と呼ばれる前記双曲面の前記表面を表現する第２直線に角度φの回転を適用することによって、得られる、前記パラメータと、
前記双曲面の前記回転軸を表すパラメータと、
前記双曲面の前記回転軸に対して相対的に前記第２発生光線の位置付けを表すパラメータと
を含む、信号。
［付記１２］
通信ネットワークからダウンロード可能であり及び／又はコンピュータによって読み橋可能な媒体に記録され及び／又はプロセッサによって実行可能であるコンピュータプログラム製品であって、
付記１乃至６のうちいずれか一に記載の方法を実施するプログラムコード命令を有するコンピュータプログラム製品。
［付記１３］
プロセッサによって実行されることが可能であって、付記１乃至６のうちいずれか一に記載の方法を実施するプログラムコード命令を有するコンピュータプログラム製品が記録されている非一時的なコンピュータ可読媒体。
［付記１４］
通信ネットワークからダウンロード可能であり及び／又はコンピュータによって読み橋可能な媒体に記録され及び／又はプロセッサによって実行可能であるコンピュータプログラム製品であって、
付記８に記載の方法を実施するプログラムコード命令を有するコンピュータプログラム製品。
［付記１５］
プロセッサによって実行されることが可能であって、付記８に記載の方法を実施するプログラムコード命令を有するコンピュータプログラム製品が記録されている非一時的なコンピュータ可読媒体。